(57)【要約】【課題】排ガス温度が２００℃以下の低温であっても、排ガス中の窒素酸化物を効率良く除去することができる排ガス浄化方法を提供することにある。【解決手段】排ガス中の窒素酸化物を還元除去する還元触媒として、一般式：Ｌａ（ＦｅyＮｂ1-y-z）ＰｄzＯ3（ただし、０．３０≦ｙ≦０．９５であり、０．０１≦ｚ≦０．１０である。）にて表されるペロブスカイト型の複合酸化物を有する触媒を用い、排ガス中の酸素ガス濃度が所定値未満となるように排ガスを調整し、還元触媒に吸蔵される窒素酸化物の吸蔵量と、排ガスの温度とに対応して酸素ガスとの反応量よりも窒素酸化物との反応量が多くなるように排ガスに水素を添加して、還元触媒と接触させることにより当該排ガス中の窒素酸化物を還元除去するようにする。【選択図】なし【特許請求の範囲】
【請求項１】
排ガス中の窒素酸化物を還元除去する還元触媒として、一般式：Ｌａ（ＦｅyＮｂ1-y-z）ＰｄzＯ3（ただし、０．３０≦ｙ≦０．９５であり、０．０１≦ｚ≦０．１０である。）にて表されるペロブスカイト型の複合酸化物を有する触媒を用い、
排ガス中の酸素ガス濃度が所定値未満となるように当該排ガスを調整し、前記還元触媒に吸蔵される窒素酸化物の吸蔵量と、前記排ガスの温度とに対応して前記酸素ガスとの反応量よりも前記窒素酸化物との反応量が多くなるように前記排ガスに水素を添加して、前記還元触媒と接触させることにより当該排ガス中の窒素酸化物を還元除去する
ことを特徴とする排ガス浄化方法。
【請求項２】
請求項１に記載の排ガス浄化方法であって、
前記一般式にて、１−ｙ−ｚが０．０５以上０．６９以下である
ことを特徴とする排ガス浄化方法。
【請求項３】
請求項１または請求項２に記載の排ガス浄化方法であって、
前記水素の添加時間を９秒以上１５秒以下とする
ことを特徴とする排ガス浄化方法。
【請求項４】
請求項１乃至請求項３の何れか一項に記載の排ガス浄化方法であって、
前記水素の濃度を４％とする
ことを特徴とする排ガス浄化方法。
【請求項５】
排ガス中の窒素酸化物を還元して浄化する排ガス浄化装置であって、
前記排ガス中の微粒子状物質を捕集する捕集手段と、
前記捕集手段よりも前記排ガスの流通方向下流側に配置された排ガス処理触媒と、
前記排ガス処理触媒よりも前記排ガスの流通方向上流側に水素を供給する水素供給手段とを備え、
前記排ガス処理触媒が、一般式：Ｌａ（ＦｅyＮｂ1-y-z）ＰｄzＯ3（ただし、０．３０≦ｙ≦０．９５であり、０．０１≦ｚ≦０．１０である。）にて表されるペロブスカイト型の複合酸化物を有する触媒である
ことを特徴とする排ガス浄化装置。
【請求項６】
請求項５に記載の排ガス浄化装置であって、
前記一般式にて、１−ｙ−ｚが０．０５以上０．６９以下である
ことを特徴とする排ガス浄化装置。
【請求項７】
請求項５または請求項６に記載の排ガス浄化装置であって、
前記捕集手段よりも前記排ガスの流通方向上流側に配置された酸化触媒をさらに備えている
ことを特徴とする排ガス浄化装置。
【発明の詳細な説明】
【技術分野】
【０００１】
本発明は、排ガス浄化方法および排ガス浄化装置に関し、特にディーゼルエンジンや燃焼機器などから排出される排ガス中の窒素酸化物、炭化水素、一酸化炭素を除去する場合に用いて有効な排ガス浄化方法および排ガス浄化装置に関する。
【背景技術】
【０００２】
ディーゼルエンジン等から排出される排ガス中の窒素酸化物を除去する排ガス処理触媒として、例えば、貴金属と、ＮＯｘを吸蔵する吸蔵材とが担持される担体をハニカム状の基材に塗布してなるものが挙げられる。前記担体として、アルミナ、セリア、ジルコニア、チタニア等が挙げられる。また、前記貴金属として、白金、ロジウム、パラジウムが挙げられる。前記吸蔵材として、カリウムなどのアルカリ金属やバリウムなどのアルカリ土類金属が挙げられる。
【０００３】
このような排ガス処理触媒をディーゼルエンジン等の排気管に設置することで、排ガス中の窒素酸化物を除去するようにしている。すなわち、排ガスがリーン状態（酸素濃度が高い（３％以上））の場合には、貴金属上にてＮＯと酸素とが反応してＮＯｘを生成し、このＮＯｘを吸蔵材に吸蔵している。
【０００４】
また、排ガス処理触媒に還元剤となる有機化合物や燃料を噴霧したり、エンジンにて燃料の噴射量を多くしたりして、排ガスがリッチ状態（酸素濃度が低い）である還元雰囲気を作ることで、吸蔵材に吸蔵されていたＮＯｘが貴金属上に移動し、このＮＯｘと炭化水素およびＣＯとが反応して水，窒素，二酸化炭素を生成し、これらが排出している。そのため、排ガス処理触媒では、窒素酸化物の吸蔵と、吸蔵された窒素酸化物を窒素としての排出（触媒の再生処理）が繰り返し行われている。
【０００５】
ところが、上述した吸蔵材の塩基性金属（アルカリ金属、アルカリ土類金属）は燃料に含まれる硫黄分で被毒して、その窒素酸化物の吸蔵性能が低下する。このような硫黄被毒した吸蔵材を高温で還元雰囲気にさらすことで硫黄を脱離除去している。前記還元雰囲気を、例えば燃料の噴射や排ガス温度の上昇などで作ることができるが、このような運転により燃費が悪化してしまう。また、触媒が高温に曝されるため、熱劣化が生じてしまう。さらには、活性金属がシンタリングしてしまい排ガス処理触媒の性能が低下してしまう。さらに、排ガスに含まれる微粒子状物質（ＰＭ）を除去するディーゼルパティキュレートフィルタ（ＤＰＦ）を排気管に設置している場合、ＤＰＦで捕集したＰＭを燃焼除去しており、排ガス処理触媒が高温にさらされてしまう機会が増加する。
【０００６】
ところで、ＮＯｘ吸蔵触媒などの脱硝触媒において耐硫黄性および耐熱性が高い触媒としては、ペロブスカイト型触媒、いわゆる複合酸化物を含む排ガス処理触媒が種々開発されている（例えば、特許文献１等参照）。
【先行技術文献】
【特許文献】
【０００７】
【特許文献１】特開２００６−３４６６０２号公報
【発明の開示】
【発明が解決しようとする課題】
【０００８】
上述した複合酸化物を含む排ガス処理触媒にて、排ガス温度が２００℃を超えた高温で排ガスに含まれる窒素酸化物を除去することができるものの、排ガス温度が２００℃以下の低温であっても排ガス中の窒素酸化物の除去効率をさらに向上させることが望まれていた。
【０００９】
以上のことから、本発明は前述した課題を解決するために為されたものであって、排ガス温度が２００℃以下の低温であっても、排ガス中の窒素酸化物を効率良く除去することができる排ガス浄化方法および排ガス浄化装置を提供することを目的としている。
【課題を解決するための手段】
【００１０】
上述した課題を解決する第１の発明に係る排ガス浄化方法は、
排ガス中の窒素酸化物を還元除去する還元触媒として、一般式：Ｌａ（ＦｅyＮｂ1-y-z）ＰｄzＯ3（ただし、０．３０≦ｙ≦０．９５であり、０．０１≦ｚ≦０．１０である。）にて表されるペロブスカイト型の複合酸化物を有する触媒を用い、
排ガス中の酸素ガス濃度が所定値未満となるように当該排ガスを調整し、前記還元触媒に吸蔵される窒素酸化物の吸蔵量と、前記排ガスの温度とに対応して前記酸素ガスとの反応量よりも前記窒素酸化物との反応量が多くなるように前記排ガスに水素を添加して、前記還元触媒と接触させることにより当該排ガス中の窒素酸化物を還元除去する
ことを特徴とする。
【００１１】
上述した課題を解決する第２の発明に係る排ガス浄化方法は、
第１の発明に係る排ガス浄化方法であって、
前記一般式にて、１−ｙ−ｚが０．０５以上０．６９以下である
ことを特徴とする。
【００１２】
上述した課題を解決する第３の発明に係る排ガス浄化方法は、
第１または第２の発明に係る排ガス浄化方法であって、
前記水素の添加時間を９秒以上１５秒以下とする
ことを特徴とする。
【００１３】
上述した課題を解決する第４の発明に係る排ガス浄化方法は、
第１乃至第３の何れか一つの発明に係る排ガス浄化方法であって、
前記水素の濃度を４％とする
ことを特徴とする。
【００１４】
上述した課題を解決する第５の発明に係る排ガス浄化装置は、
排ガス中の窒素酸化物を還元して浄化する排ガス浄化装置であって、
前記排ガス中の微粒子状物質を捕集する捕集手段と、
前記捕集手段よりも前記排ガスの流通方向下流側に配置された排ガス処理触媒と、
前記排ガス処理触媒よりも前記排ガスの流通方向上流側に水素を供給する水素供給手段とを備え、
前記排ガス処理触媒が、一般式：Ｌａ（ＦｅyＮｂ1-y-z）ＰｄzＯ3（ただし、０．３０≦ｙ≦０．９５であり、０．０１≦ｚ≦０．１０である。）にて表されるペロブスカイト型の複合酸化物を有する触媒である
ことを特徴とする。
【００１５】
上述した課題を解決する第６の発明に係る排ガス浄化装置は、
第５の発明に係る排ガス浄化装置であって、
前記一般式にて、１−ｙ−ｚが０．０５以上０．６９以下である
ことを特徴とする。
【００１６】
上述した課題を解決する第７の発明に係る排ガス浄化装置は、
第５または第６の発明に係る排ガス浄化装置であって、
前記捕集手段よりも前記排ガスの流通方向上流側に配置された酸化触媒をさらに備えている
ことを特徴とする。
【発明の効果】
【００１７】
第１の発明に係る排ガス浄化方法によれば、排ガス中の窒素酸化物を還元除去する還元触媒として、一般式：Ｌａ（ＦｅyＮｂ1-y-z）ＰｄzＯ3（ただし、０．３０≦ｙ≦０．９５であり、０．０１≦ｚ≦０．１０である。）にて表されるペロブスカイト型の複合酸化物を有する触媒を用い、排ガス中の酸素ガス濃度が所定値未満となるように当該排ガスを調整し、前記還元触媒に吸蔵される窒素酸化物の吸蔵量と、前記排ガスの温度とに対応して前記酸素ガスとの反応量よりも前記窒素酸化物との反応量が多くなるように前記排ガスに水素を添加して、前記還元触媒と接触させることにより当該排ガス中の窒素酸化物を還元除去するので、排ガス温度が２００℃以下の低温であっても、還元触媒での脱硝反応と燃焼反応とをバランスして、還元触媒で還元剤を効率良く作用させることができる。
【００１８】
第３、第４の発明に係る排ガス浄化方法によれば、第１の発明に係る排ガス浄化方法と同様、排ガス温度が２００℃以下の低温であっても、還元触媒での脱硝反応と燃焼反応とをバランスして、還元触媒で還元剤を効率良く作用させることができる。
【００１９】
第５の発明に係る排ガス浄化装置によれば、排ガス中の窒素酸化物を還元して浄化する排ガス浄化装置であって、前記排ガス中の微粒子状物質を捕集する捕集手段と、前記捕集手段よりも前記排ガスの流通方向下流側に配置された排ガス処理触媒と、前記排ガス処理触媒よりも前記排ガスの流通方向上流側に水素を供給する水素供給手段とを備え、前記排ガス処理触媒が、一般式：Ｌａ（ＦｅyＮｂ1-y-z）ＰｄzＯ3（ただし、０．３０≦ｙ≦０．９５であり、０．０１≦ｚ≦０．１０である。）にて表されるペロブスカイト型の複合酸化物を有する触媒であることにより、排ガス処理触媒の排ガス流通方向上流側にて、捕集手段が排ガス中の微粒子状物質を捕集し除去することができるので、前記微粒子状物質の付着による排ガス処理触媒の経年劣化を抑制することができ、運用コストの増加を抑制することができる。
【００２０】
第７の発明に係る排ガス浄化装置によれば、前記捕集手段よりも前記排ガスの流通方向上流側に配置された酸化触媒をさらに備えているので、第５の発明に係る排ガス浄化装置と同様な作用効果を奏する他、酸化触媒により排ガス処理触媒の排ガス流通方向上流側にて排ガス中の未燃炭化水素類、一酸化炭素、窒素酸化物や黒鉛炭素成分を酸化することができ、還元触媒で還元剤を効率良く作用させることができる。
【図面の簡単な説明】
【００２１】
【図１】本発明の一参考形態に係る排ガス処理触媒の脱硝率と排ガス温度との関係を示すグラフである。
【図２】本発明の第一番目の実施形態に係る排ガス浄化装置の概略構成図である。
【図３】本発明の第二番目の実施形態に係る排ガス浄化装置の概略構成図である。
【発明を実施するための形態】
【００２２】
以下に、本発明に係る排ガス浄化方法および排ガス浄化装置について、各実施形態で具体的に説明する。
【００２３】
本発明の一参考形態に係る排ガス処理触媒は、排ガス中の窒素酸化物を吸蔵すると共に、還元剤との接触により吸蔵された窒素酸化物を窒素に還元して当該排ガスを浄化する触媒能を有するペロブスカイト型の複合酸化物、具体的には、以下の一般式（１）にて表される複合酸化物を含有する触媒である。
【００２４】
Ａ（ＢyＢ´(1-y-z)）（ＰＭ）zＯ3              ・・・（１）
ただし、Ａ成分をランタン（Ｌａ）とし、Ｂ成分を鉄（Ｆｅ）とし、Ｂ´成分をニオブ（Ｎｂ）とし、ＰＭ（貴金属）をパラジウムとする。
【００２５】
上述した一般式（１）にて、ｙが０．３０以上０．９５以下の範囲であり、ｚが０．０１以上０．１０以下の範囲である。好適にはｙが０．６３以上０．８８以下の範囲であり、ｚが０．０２以上０．０４以下の範囲である。さらに好適には、ｙが０．７７６であり、ｚが０．０３である。言い換えると、ニオブの含有量が０．０５ｍｏｌ以上０．６９ｍｏｌ以下の範囲であり、好適には、０．０９ｍｏｌ以上０．３５ｍｏｌ以下の範囲である。ニオブの含有量が０．０５ｍｏｌを下回ると、パラジウムに作用して吸蔵したＮＯｘとＨ2ガス（還元剤）との反応を促進しなくなる。また、パラジウムの含有量が０．０１ｍｏｌを下回ると、貴金属を含有することによる効果を発現できない。他方、パラジウムの含有量が０．１０を上回ると、コストメリットが小さくなってしまう。
【００２６】
上述した一般式（１）にて表される複合酸化物を含有する排ガス処理触媒に窒素酸化物を含有する排ガスを接触させることにより、排ガス温度が２００℃以下であっても、当該触媒での脱硝反応と燃焼反応とをバランスして、触媒で還元剤をより確実に作用させることができる（具体例は後述する）。このような排ガス処理触媒の調製方法として、以下の２種（液相法および固相法）が挙げられるが、特にこれに限定するものではない。
【００２７】
＜液相法＞
この方法では、出発原料として、ＬａとＦｅとＰｄとを含む金属塩溶液と、上述したＮｂ成分を含む有機酸水溶液（酢酸、シュウ酸、アミノ酸、二酸化ニオブの過酸化水素水溶液やシュウ酸水素ニオブ水溶液など）とが用いられる。ただし、前述した出発原料は、以下の調製工程前に任意の濃度の水溶液に調製される。
【００２８】
［シュウ酸水素ニオブ水溶液の調製］
上述したシュウ酸水素ニオブ水溶液を、例えば以下のように調製する。
シュウ酸水素ニオブｎ水和物（Ｎｂ2Ｏ5換算で１０．７重量％）に蒸留水を加え、密栓した後、室温で４８時間攪拌して溶解させた。次に、Ｎｂ換算で０．０４ｍｏｌ／Ｌになるように蒸留水を加え、濃度調整後の溶液を密栓したガラス瓶で保管した。
【００２９】
＜調製手順＞
（１）最初に、上述した各金属塩水溶液と有機酸水溶液などの有機化合物を所定の元素比となるようにそれぞれ秤量する。
（２）続いて、秤量された各金属塩水溶液を反応器内に添加し混合する。この液を混合液と以下称する。
（３）続いて、混合液を攪拌しながら上述した有機酸水溶液を徐々に加え、全量が溶解するまで攪拌する。
（４）続いて、エバポレータにて水分を蒸発させて濃縮する。
（５）続いて、乾燥器内に入れ、この器内雰囲気を２５０℃として乾燥し、粉末にする。
（６）続いて、この粉末を乳鉢で粉砕した後、必要に応じてバインダーを混ぜて成形し、６００〜１２００℃にて５時間焼成し、排ガス処理触媒が得られる。
【００３０】
＜固相法＞
この方法では、出発原料として、ＬａとＦｅとＮｂとＰｄとを含む酸化物または炭酸化物と、分散剤と、各種溶媒（Ｈ2Ｏ、エタノール、メタノール等）が用いられる。ただし、前述した出発原料は、以下の調製工程前に内部の雰囲気が１２０℃の乾燥器に入れられ十分に乾燥される。
【００３１】
＜調製手順＞
（１）最初に、各種出発原料（１２０℃で乾燥済み）と分散剤と溶媒とを秤量する（分散剤量を粉体重量の５ｗｔ％とし、溶媒を原料粉末と同量とする。）。
（２）続いて、秤量された各種出発原料と、分散剤と、溶媒と、粉砕用ボールとを容器に入れる。
（３）続いて、ボールミルにて粉砕、攪拌、および混合を行う。
（４）続いて、エバポレータにて水分を蒸発させて濃縮する。
（５）続いて、乾燥器内に入れ、この器内雰囲気を１２０℃として乾燥し、粉末にする。
（６）続いて、この粉末を乳鉢で粉砕した後、必要に応じてバインダーを混ぜて成形し、８００〜１２００℃にて５時間焼成し、排ガス処理触媒が得られる。
【００３２】
上述した排ガス処理触媒の調製法にて用いられるバインダーとしては、セリウム酸化物を主成分とするものが特に有効である。
【００３３】
排ガス処理触媒が上述した一般式（１）で表される複合酸化物で構成されることにより、排ガス温度が２００℃以下の低温であっても、排ガス処理触媒での脱硝反応と燃焼反応とがバランスし、排ガス処理触媒で還元剤（水素）を効率良く作用させることができる（具体例は後述する）。
【００３４】
［参考例］
上述の参考形態に係る排ガス処理触媒の効果を確認するために行った確認試験を以下に説明するが、本参考例は以下に説明する確認試験のみに限定されるものではない。
【００３５】
［試験体１の調製］
硝酸ランタン６水和物、硝酸鉄９水和物、上記シュウ酸水素ニオブ水溶液および硝酸パラジウム溶液（Ｐｄ＝５０ｇ／Ｌ）を、それぞれ、水を用いて、１ｍｏｌ／Ｌ、０．５ｍｏｌ／Ｌ、０．０４ｍｏｌ／Ｌおよび０．０５ｍｏｌ／Ｌの濃度の溶液を調製する。
【００３６】
続いて、所定の濃度に調製された溶液を所定量分取する。具体的には、硝酸ランタン水溶液量を１００ｍｌとし、硝酸鉄水溶液量を１５５ｍｌとし、シュウ酸水素ニオブ水溶液量を４８５ｍｌとし、硝酸パラジウム水溶液量を６０ｍｌとして、各金属イオン量のモル比（Ｌａ：Ｆｅ：Ｎｂ：Ｐｄ）が１：０．７７６：０．１９４：０．０３となる。
【００３７】
最初に、硝酸ランタン水溶液および硝酸鉄水溶液を混合し、密栓した後、この混合液を攪拌しながら５０℃まで加温する。５０℃に到達後、グリシン１２０ｇを添加し溶解させる。さらに硝酸パラジウム水溶液とシュウ酸水素ニオブ水溶液を順次加えた後、６０℃まで加温し、６０℃に到達後、密栓しながら６０℃で２時間攪拌する。
【００３８】
さらに、上記混合溶液をロータリーエバポレータにより濃縮してゲル化させた。ゲル化した試料を乾燥器中に入れ、２２０℃にて熱処理し、粉砕した後、４００℃にて空気中で５時間焼成する。得られた粉末をさらに粉砕した後、試料を７００℃にて５時間焼成して複合酸化物（ＬａＦｅ0.776Ｎｂ0.194Ｐｄ0.03Ｏ3）を有する排ガス処理触媒を２０ｇ得た。得られた排ガス処理触媒を試験体１とした。
【００３９】
［試験体２の調製］
セリア、ジルコニアまたはアルミナからなる基材に、炭酸バリウム及び白金、パラジウム、ロジウムのうちの少なくとも一種を含む貴金属を塗布もしくは担持などして付着させて窒素酸化物吸蔵触媒（試験体２）を得た。
【００４０】
［確認試験］
［脱硝性能評価試験］
本試験にて、試験体１，２の脱硝性能について評価を行った。
【００４１】
上記試験体１に対して、下記の表１に示す評価条件１で排ガスを流通させて、脱硝性能を測定し、この測定結果を試験結果１とした。上記試験体１に対して下記の表１に示す評価条件２で排ガスを流通させて、脱硝性能を測定し、この測定結果を試験結果２とした。上記試験体１に対して下記の表１に示す評価条件３で排ガスを流通させて、脱硝性能を測定し、この測定結果を試験結果３とした。
【００４２】
また、上記試験体２に対して下記の表１に示す評価条件１で排ガスを流通させて、脱硝性能を測定し、この測定結果を試験結果４とした。
【００４３】
表１において、空間速度は流体の流量／触媒の体積を示す。
【００４４】
【表１】
2014001737.tif 000002
【００４５】
上述した試験結果１，２，３，４を図１に示す。
図１において、脱硝率は、排ガス（処理ガス）がリーン状態である場合の脱硝率と、排ガス（処理ガス）がリッチ状態である場合の脱硝率との平均である。
【００４６】
試験結果１（試験体１、評価条件１）における排ガス温度と脱硝率は、１５０℃で２９．８％、２００℃で２８．５％、２５０℃で５１．６％、３００℃で５０．７％、３５０℃で５５．４％であった。
【００４７】
試験結果２（試験体１、評価条件２）における排ガス温度と脱硝率は、１５０℃で４１．８％、２００℃で３１．２％、２５０℃で５４．９％、３００℃で６０．４％、３５０℃で６２．４％であった。
【００４８】
試験結果３（試験体１、評価条件３）における排ガス温度と脱硝率は、１５０℃で４１．３％、２００℃で３７．２％、２５０℃で６１．２％、３００℃で７１．５％、３５０℃で７５．４％であった。
【００４９】
試験結果４（試験体２、評価条件１）における排ガス温度と脱硝率は、１５０℃で０％、２００℃で２３％、２５０℃で８１％、３００℃で８５％、３５０℃で８８％であった。
【００５０】
試験結果１〜３と試験結果４とを対比すると、排ガス温度が１５０℃および２００℃においては、試験結果１〜３における脱硝率が試験結果４における脱硝率よりも高いことが分かった。言い換えると、排ガス温度が１５０℃以上２００℃以下の範囲にあるときには、Ｌａ（ＦｅyＮｂ(1-y-z)）ＰｄzＯ3で表される複合酸化物に水素を接触させたときの脱硝率が、従来の窒素酸化物吸蔵触媒に水素を接触させたときの脱硝率よりも高くなることが分かった。
【００５１】
したがって、本参考形態に係る排ガス処理触媒によれば、Ｌａ（ＦｅyＮｂ(1-y-z)）ＰｄzＯ3（ただし、０．３０≦ｙ≦０．９５であり、０．０１≦ｚ≦０．１０である。）で表される複合酸化物を有することにより、還元剤として水素を用いることにより、排ガス温度が２００℃以下の低温であっても、排ガス処理触媒での脱硝反応と燃焼反応とがバランスし、排ガス処理触媒で還元剤を効率良く作用させることができる。これにより、セリア、ジルコニアまたはアルミナからなる基材に、炭酸バリウム及び白金、パラジウム、ロジウムのうちの少なくとも一種を含む貴金属を塗布もしくは担持などして付着させた従来の窒素酸化物吸蔵触媒と比べて、脱硝率を向上させることができる。さらに、その結果、エンジンの運転状況が高回転、高負荷のような排ガス温度が高い場合にも、従来の触媒と比較して高い脱硝率を有することができ、さらに排気圧力が上昇し排ガス温度が上昇してしまう高比表面積の触媒基材を使用でき脱硝装置をコンパクトにできる。さらに貴金属元素としてパラジウムを使用しているため、白金を含有する触媒と比較して大幅に安価に製造することができ、また高温での耐熱性に優れる。よって触媒性能劣化時に必要となる硫黄除去処理（再生処理）を実施する場合に、触媒劣化が少ない。
【００５２】
なお、上記では、液相法により調製した排ガス処理触媒を用いて説明したが、固相法により調製した排ガス処理触媒とすることも可能である。このような手法により調製した排ガス処理触媒であっても、上述した排ガス処理触媒と同様な作用効果を奏する。
【００５３】
［第一番目の実施形態］
以下に、上述した排ガス処理触媒を用いた排ガス浄化装置の第一番目の実施形態について説明する。
【００５４】
本実施形態に係る排ガス浄化装置１０は、図２に示すように、ディーゼルエンジンから排出される排ガス３０の浄化処理に利用される。この排ガスは、窒素酸化物、硫黄酸化物、パティキュレートマター（粒子状物質、以下ＰＭと称す）を含有する。
【００５５】
排ガス浄化装置１０は、ディーゼルパティキュレートフィルタ（以下、ＤＰＦと称す）１１、排ガス処理触媒（還元触媒）１２、水素供給装置１３、および電子制御装置（以下、ＥＣＵと称す）２０を具備する。
【００５６】
この排ガス浄化装置１０では、排ガス３０が排ガス流通管１を通じてＤＰＦ１１に導入され、ＤＰＦ１１で排ガス３０中の微粒子状物質（ＰＭ）が捕集されて当該排ガス３０からＰＭが除去される。ＰＭが除去された排ガス３１が連絡配管２を通じて排ガス処理触媒１２に導入される。連絡配管２内へ水素３２を供給可能に水素供給装置１３が設けられている。これにより、ＰＭが除去された排ガス３１とともに、水素３２が排ガス処理触媒１２へ供給され、排ガス処理触媒１２で排ガス中の窒素酸化物が浄化される。窒素酸化物が浄化された排ガス３３が排ガス排出管３を通じて系外に排出される。すなわち、排ガス浄化装置１０では、排ガス流通方向上流側から、ＤＰＦ１１、排ガス処理触媒１２の順序で配置される。
【００５７】
上述したＤＰＦ１１は、排ガス中のＰＭを吸着し、所定量吸着した場合には、ＤＰＦ１１の排ガス流通方向上流側に配置される電子制御燃焼噴射弁（図示せず）により主噴射の後の副噴射であるポスト噴射を行い、排ガス温度を高温にしてＤＰＦ１３に吸着したＰＭを燃焼除去することができる。
【００５８】
上述した排ガス処理触媒１２としては、排ガス中の窒素酸化物を吸蔵すると共に、還元剤の水素との接触により吸蔵された窒素酸化物を窒素に還元して当該排ガスを浄化する触媒能を有する触媒であって、上述した一般式（１）で表される複合酸化物を含有する触媒が挙げられる。
【００５９】
上述した水素供給装置１３としては、水素を製造しそのまま供給したり、製造した水素あるいは系外から供給された水素をタンクや吸着剤などに貯蔵し当該水素を供給したりする装置が挙げられる。水素を製造する装置としては、水蒸気と排ガス中の燃料および酸素とから水素を生成するマイクロリアクターや、水を電気分解して水素を生成する水電解装置などが挙げられる。これらを単独で用いることもこれらを併用して用いることも可能である。水素の吸着剤（水素吸蔵手段）としては、カーボン系材料、またはパラジウムなどの金属系材料（水素吸蔵合金）などが挙げられる。前記水電解装置では、排ガス中の水分を凝縮して得られるあるいは系外から供給され、タンクなどに貯蔵される水が利用される。
【００６０】
上述した排ガス流通管１、連絡配管２、および排ガス排出管３には、排ガス温度およびその成分（ＮＯｘ，Ｏ2，Ｈ2，ＮＨ3）を常時計測するための排ガス計測手段であるセンサ２１，２２，２３がそれぞれ設けられる。各センサ２１，２２，２３としては、分子のレーザ光吸収型高速応答性のガス成分濃度センサなどレーザ光を用いたセンサが挙げられる。このようなセンサを用いることで、リアルタイムに排ガス温度および排ガス中のガス成分を計測することができる。
【００６１】
上述した各センサ２１，２２，２３とＥＣＵ２０とがそれぞれ信号線で接続されており、各センサ２１，２２，２３にて計測されたデータは、ＥＣＵ２０に送られる。また、図示しないエンジンの（運転）状態（エンジンの回転数、トルク、および吸入空気に対する燃料量など）を計測するセンサ（図示せず）および上述した電子制御燃料噴射弁などとＥＣＵ２０とが図示しない燃焼制御用信号線で接続される。該センサにより計測されたエンジンの状態がＥＣＵ２０に送信される一方、ＥＣＵ２０により当該電子制御燃料噴射弁などが制御される。ＥＣＵ２０は、所定の制御フローに基づき、図示しないＥＧＲ弁の開閉制御や、図示しない電子制御燃料噴射弁によるポスト噴射の制御が行われる。ＥＣＵ２０は、水素供給装置１３の制御（還元剤の水素の濃度の特定および水素の添加時間の特定）などが行われる。
【００６２】
ここで、上述したＥＣＵ２０における制御フローについて以下に説明する。
【００６３】
最初に、内燃機関の状態を計測して得られたデータ（上述したエンジンの回転数、トルク、吸入空気量に対する燃料量、および冷却水の温度など）がＥＣＵ２０に入力される。
【００６４】
続いて、得られた内燃機関の状態のデータに相関して、予め作成された排ガス温度分布および排ガス中の一酸化窒素の濃度分布のマップに基づき、排ガス温度、排ガス中の酸素濃度ＣO2、および一酸化窒素濃度ＣNOを推定する。例えばＥＣＵ２０は、低回転および低トルクの場合には、排ガスが低温であり、排ガスが低濃度の一酸化窒素を含有し、高回転および高トルクの場合には、排ガスが高温であり、排ガスが高濃度の一酸化窒素を含有するなど、排ガス温度Ｔ、排ガス中の酸素濃度ＣO2、および一酸化窒素濃度ＣNOを推定する。また、ＥＣＵ２０は、高負荷域および高速回転時において、減速時および加速時で次の瞬間の排ガス中の窒素酸化物の濃度をマップにて予測できない場合、前記内燃機関の状態、および変化量に基づく以下の予測式に基づき、排ガス中の窒素酸化物濃度ＤNOXを予測する。
【００６５】
ＮＯｘの予測式：ＤNOX＝ｆ（ｎ，Ｐ１，・・・，Ｐｘ，Ｔ１，・・・，Ｔｘ，・・・，Δｎ，・・・，ΔＸ）
ｎ：内燃機関の現在の回転数
Ｐｘ：エンジン特定部分の圧力（例えば筒内圧力）
Ｔｘ：エンジン特定部分の温度（例えば筒内における燃焼ガスの温度）
Δｎ：現在の回転数変化量
ΔＸ：現在のエンジン特定部分の変化量（アクセルの踏み込み量、エンジン負荷（坂道やスリップ）等も含む）
【００６６】
さらに、その運転時間と予測値、ガス量（エンジンの回転数と１回転当たりの排気量より算出可能）を積算（ＮＯｘの瞬時予測値×運転時間×ガス量）することにより、触媒へのＮＯｘ暴露量が算出される。
【００６７】
続いて、通常の運転時の触媒への暴露量に対するＮＯｘ吸蔵率（脱硝率）の温度マップより、吸蔵されるＮＯｘの量が推定される。このＮＯｘ量と排ガス温度に併せて望む脱硝率となるようにＥＣＵ２０が水素供給装置１３を制御して水素３２を連絡配管２内へ供給する。
【００６８】
よって、上述した排ガス浄化装置１０によれば、上述した構成とすることにより、排ガス中の酸素ガス濃度が所定値未満となるように当該排ガスを調整し、前記排ガス中の窒素酸化物を還元浄化する排ガス処理触媒１２に吸蔵される窒素酸化物の吸蔵量と、前記排ガスの温度とに対応して前記酸素ガスとの反応量よりも前記窒素酸化物との反応量が多くなるように前記排ガスに水素３２を供給（添加）して、排ガス処理触媒１２と接触させることにより当該排ガス中の窒素酸化物を還元除去することができる。その結果、上述した参考形態と同様、排ガス温度が２００℃以下の低温であっても、酸素ガスとの反応に比べて窒素酸化物との反応にて水素の消費量が多くなり、排ガス処理触媒１２での脱硝反応と燃焼反応とがバランスし、排ガス処理触媒１２で水素３２を効率良く作用させることができる。
【００６９】
なお、上記では、内燃機関のデータに相関して、予め作成された排ガス温度分布および排ガス中の一酸化窒素の濃度分布のマップにのみ基づき、排ガス温度、排ガス中の酸素濃度ＣO2、および一酸化窒素濃度ＣNOを推定して還元剤の種類を選定し、その濃度を特定する制御を行う排ガス浄化装置１０を用いて説明したが、センサー２１，２２，２３にて計測し、ＥＣＵ２０に送られた排ガス温度およびそのガス成分のデータを前述したデータマップに反映して制御することも可能であり、ＥＣＵ２０に送られた排ガス温度およびそのガス成分のデータを用いてフィードバック制御で直接微調整することも可能である。このように制御するようにした排ガス浄化装置によれば、上述した排ガス浄化装置１０と同様な作用効果を奏する他、還元剤の水素の濃度の特定および水素の添加時間の特定をより高精度に行うことができ、脱硝性能を向上させることができる。さらに、エンジンの状態に応じて制御することができ、トランジェント対応することができる。
【００７０】
排ガス処理触媒１２の排ガス流通方向下流側の水素の濃度を計測することにより、排ガス処理触媒１２における還元剤の水素の使用量を特定することができる。よって、還元剤の添加量を制御することができ、排ガスをより一層効率良く浄化することができる。
【００７１】
［第二番目の実施形態］
本発明の第二番目の実施形態に係る排ガス浄化装置について図３を参照して説明する。
本実施形態にて、上述した第一番目の実施形態の排ガス浄化装置１０が具備する機器と同一機器には同一符号を付記する。
【００７２】
本実施形態の排ガス浄化装置５０では、図３に示すように、排ガス流通管１に酸化触媒１４が連結され、酸化触媒１４に排ガス導入管４が連結される。
【００７３】
この排ガス浄化装置５０では、ディーゼルエンジンから排出される排ガス４０が排ガス導入管４を通じて酸化触媒１４に導入され、酸化触媒１４にて排ガス４０中のＨＣ，ＣＯ，ＮＯが酸化される。ＨＣ，ＣＯ，ＮＯが酸化された排ガス４１が排ガス流通管１を通じてＤＰＦ１１に導入される。ＤＰＦ１１でＰＭが除去された排ガス４２と水素供給装置１３から供給された水素３２とが連絡配管２を通じて排ガス処理触媒１２に供給される。排ガス処理触媒１２で排ガス中の窒素酸化物が浄化され、窒素酸化物が浄化された排ガス４３が排ガス排出管３を通じて系外へ排出される。すなわち、排ガス浄化装置５０では、排ガス流通方向上流側から、酸化触媒１４、ＤＰＦ１１、排ガス処理触媒１２の順序で配置される。
【００７４】
排ガス導入管４には、排ガス温度およびその成分（ＮＯｘ，Ｏ2，Ｈ2，ＮＨ3）を常時計測するための排ガス計測手段であるセンサ２４が設けられる。センサ２４としては、分子のレーザ光吸収型高速応答性のガス成分濃度センサなどレーザ光を用いたセンサが挙げられる。このようなセンサを用いることで、リアルタイムに排ガス温度および排ガス中のガス成分を計測することができる。
【００７５】
上述した酸化触媒１４は、白金、パラジウム、イリジウムなどの貴金属系触媒、またはペロブスカイトなどの複合酸化物系触媒などが挙げられる。酸化触媒１４は、ハニカム状に形成されており、２００℃以上にて酸化反応が生じる触媒である。酸化触媒１４で排ガス中のＨＣ，ＣＯ，ＮＯが酸化されるため、排ガス流通方向下流側に配置される排ガス処理触媒１２の還元率が向上する。
【００７６】
よって、上述した排ガス浄化装置５０によれば、上述した構成とすることにより、排ガス中の酸素ガス濃度が所定値未満となるように当該排ガスを調整し、前記排ガス中の窒素酸化物を還元浄化する排ガス処理触媒１２に吸蔵される窒素酸化物の吸蔵量と、前記排ガスの温度とに対応して前記酸素ガスとの反応量よりも前記窒素酸化物との反応量が多くなるように前記排ガスに水素３２を添加して、排ガス処理触媒１２と接触させることにより当該排ガス中の窒素酸化物を還元除去することができる。その結果、上述した参考形態および第一番目の実施形態と同様、排ガス温度が２００℃以下の低温であっても、酸素ガスとの反応に比べて窒素酸化物との反応にて水素の消費量が多くなり、排ガス処理触媒１２での脱硝反応と燃焼反応とがバランスし、排ガス処理触媒１２で水素３２を効率良く作用させることができる。
【産業上の利用可能性】
【００７７】
本発明に係る排ガス浄化方法および排ガス浄化装置によれば、排ガス温度が２００℃以下の低温であっても、排ガス中の窒素酸化物を処理する触媒で還元剤を効率良く作用させることができるため、ディーゼルエンジンや燃焼機器から排出される排ガスを処理する産業にとって有用である。
【符号の説明】
【００７８】
１０，５０  排ガス浄化装置
１１        ＤＰＦ
１２        排ガス処理触媒
１３        水素供給装置
１４        酸化触媒
２０        電子制御装置（ＥＣＵ）
【図１】
2014001737.tif 000003
【図２】
2014001737.tif 000004
【図３】
2014001737.tif 000005